(57)【要約】【課題】軽量かつコンパクトで運搬や持ち運びが容易で、電気的にも安全で、かつ足場板の吊り高さを現場で簡単に調節できる実用的な工事用足場吊具を提供する。【解決手段】吊り条体として編組構造の繊維ロープ５を使用し、該編組繊維ロープ５の長手方向一端に吊持用連結部６を備える一方、中間部適所には長手方向他端側をロープそれ自体の側部から中心の空洞を通って別位置のロープ側部から導出した長さ調整部７を有しており、前記吊持用連結部６と長さ調整部７の間には、電気絶縁性の桁部材受支部体８を位置変位可能に外装している。【選択図】図２
2004124376.tif 000002
【特許請求の範囲】
【請求項１】
吊り条体として編組構造の繊維ロープ５を使用し、該編組繊維ロープ５は、長手方向一端に吊持用連結部６を備える一方、中間部適所には長手方向他端側をロープそれ自体の側部から中心の空洞を通って別位置のロープ側部から導出した長さ調整部７を有しており、前記吊持用連結部６と長さ調整部７の間には、電気絶縁性の桁部材受支部体８を位置変位可能に外装していることを特徴とする工事用足場吊具。
【請求項２】
編組繊維ロープ５が高強力低伸度繊維からなっている請求項１に記載の工事用足場吊具。
【請求項３】
桁部材受支部体８が編組繊維ロープよりも相対的に太い電気絶縁性の筒を外嵌して構成されている請求項１又は２に記載の工事用足場吊具。
【請求項４】
編組繊維ロープよりも相対的に太い電気絶縁性の筒が、編組繊維ロープ５よりも密な編組構造の太い繊維ロープを切断して構成されている請求項３に記載の工事用足場吊具。
【請求項５】
桁部材受支部体８が、電気絶縁性のある平ベルトの端を留めして構成されている請求項１又は２に記載の工事用足場吊具。
【発明の詳細な説明】
【０００１】
【発明の属する技術分野】
本発明は工事用足場吊具に関する。
【０００２】
【従来の技術】
作業員が中空に位置して作業を行う工事、たとえば鉄道や道路の橋桁を点検したり、塗装したり、補修したりする工事においては、吊足場が用いられる。
かかる吊り足場を得るための手段として、従来ではチェーンを使用し、チェーンの中間をＵ状に反転させ、チェーン上端部で構造物に固定し、こうしたセットを対向側にも配して１対のＵターン部で桁管の両端部を支えるようにし、こうしたものを所定間隔ごとに配し、各桁管に足場板を交差状に渡す方式が採られていた。
【０００３】
しかし、先行技術の足場吊具では次のような問題があった。
１）吊具の重量が重いため、工事に必要な多数の吊具の現場への輸送、現場での持ち運びおよびセットの各段階で多大な労力と時間を要する。
２）足場板（桁管）の吊り高さ位置を現場で簡単に調整することが困難である。
３）橋桁等には高圧架線が敷設されることが多いが、チェーンが鉄鋼材であるため誘導電流が誘起され、感電事故が発生する。
【０００４】
【発明が解決しようとする課題】
本発明は前記のような問題点を解消するためになされたもので、その目的とするところは、軽量かつコンパクトで運搬や持ち運びが容易で、電気的にも安全で、かつ足場板の吊り高さを現場で簡単に調節できる実用的な工事用足場吊具を提供することにある。
【０００５】
【課題を解決するための手段】
上記目的を達成するため本発明は、吊り条体として編組構造の繊維ロープを使用し、該編組繊維ロープは、長手方向一端に吊持用連結部を備える一方、中間部適所には長手方向他端側をロープそれ自体の側部から中心の空洞を通って別位置のロープ側部から導出した長さ調整部を有しており、前記吊持用連結部と長さ調整部の間には、電気絶縁性の桁部材受支部体を位置変位可能に外装していることを特徴としている。
【０００６】
前記桁部材受支部体は、編組繊維ロープよりも相対的に太い電気絶縁性の筒を外嵌して構成されるか、あるいは、電気絶縁性のある平ベルトの端を留めることで構成される。
編組繊維ロープは、高強力低伸度の特性を有する繊維から構成されたものが好ましい。
【０００７】
【発明の実施の形態】
以下添付図面を参照して本発明の実施例を説明する。
図１は本発明による工事用足場吊具の適用例を示しており、１は鉄橋の橋桁で、車両の線路が敷設された上部桁１ａと、これと剛結された下部桁１ｂとを有している。前記橋桁１には高圧電線９が敷設されている。
２、２は本発明の工事用足場吊具で、それぞれ前記橋桁１に上端が連結支持され、下部に単管と称される桁部材３が受支され、桁部材３上に足場板４が交差状に載置されている。
【０００８】
図２ないし図５は本発明の工事用足場吊具の第１実施例を示しており、５は吊り条体としての編組構造からなる繊維ロープである。
該編組繊維ロープ５は所定の長さたとえば２〜３ｍを持ち、長手方向の一端部側は橋桁１の適所に連結して吊持を受けるための連結部６を有し、他端部５１は編組繊維ロープ５それ自体の側部に形成した長さ調整部７を貫いて外部に延在している。したがって、長さ調整部７よりも上部側は単一のロープ部分５ａとなり、長さ調整部７より下部側は２股に別れたエンドレス状部分５ｂとなっている。
そして、前記連結部６と長さ調整部７の間には柔軟で電気絶縁性のある桁部材受支部体８が位置変位可能に配されている。他端部５１の先端はストランドがバラケないようにテープ巻き等によって被覆５１０が施されている。
【０００９】
前記編組繊維ロープ５は、好適には、汎用の繊維ではなく、破断強度２０ｇ／ｄ以上、弾性係数５００ｇ／ｄ以上の特性を有する高強度低伸度繊維たとえば全芳香族ポリエステル繊維、アラミド繊維、超高分子量ポリエチレン繊維などが原料糸として作られている。
そして、そうした高強度低伸度繊維のヤーンを多数本集めた束を平行に引き揃えるかまたは長いリードで撚りあわせたストランド５０を１本づつまたは複数本を１組とし、かかるストランドを編組して編組繊維ロープ５としている。図示するものは、１２打ち（２×６）であるが、１×１２でもよいし、８つ打ち（２×４）、１×８，１６打ち（２×８）などであってもよい。
【００１０】
前記連結部６は、この例ではフック状の金具を定着して構成されているが、これに限らず、シンブル付きアイスプライス、シンブルなしスプライスであってもよい。
【００１１】
長さ調整部７は図３と図４に示されている。この長さ調整部７は、編組繊維ロープ５が軸方向に引張力のかかった状態では図４図（ｂ）のように各組ストランド５０が接近して見かけ上は中実状を呈するが、実質は中空構造である組織の特徴を利用して形成されたもので、図３のように所望位置の組ストランド５０’、５０’相互間を押し広げて開口７０を形成し、この開口７０から所望距離隔てた位置でも組ストランド５０’、５０’相互間を押し広げて開口７１を形成し、編組繊維ロープ５の他端部５１を前記開口７０から編組繊維ロープ５の空洞部７２内に差込み、その後開口７１から外部へと導出させてなる。
前記調整部７は編組繊維ロープ５のどの部位に設けることができるし、複数設けることもできる。また長さも自由に設定することができる。
【００１２】
桁部材受支部体８は編組繊維ロープ５を内抱して２重となり、強度と径を増加させる。かかる桁部材受支部体８は、電気絶縁性を有しかつ桁部材３の輪郭に添えるように柔軟であることが必要である。
この例では、編組繊維ロープ５よりも密な編組構造の太い繊維ロープを切断して構成され、図５のように編組繊維ロープ５を囲むように外嵌されている。この場合の繊維としては、耐摩耗性の良好な特性を有することが好ましいので、前記のような高強度低伸度繊維のほか、ポリエステル繊維などが用いられ、編組繊維ロープ５が１２打ちであれば、それよりも細い径のストランドを用いた２４打ち、あるいは４８打ちに編組されたものが使用される。
【００１３】
しかし、桁部材受支部体８は編組繊維筒のほか、布製ホースの切断物、ゴムホースの切断物なども使用できる。
さらに、桁部材受支部体８は使用時に編組繊維ロープ５を筒状に囲んでいればよいので、必ずしも単体の状態で筒である必要はなく、図６（ａ）（ｂ）のように筒状化可能でその状態を維持できる平ベルトであってもよい。
平ベルトは多重に積層しあるいは詰め物をした帆布、ゴム、軟質樹脂シート、目の詰んだ織物など電気絶縁性を有する材質からなり、側部に留め要素８０，８１を有している。留め要素８０，８１は細かい繊維を無数に植え立てた面ファスナー、ジッパー、ホック、紐など任意である。
【００１４】
本発明は前記実施例に限定されるものではなく、種々の態様を取りうる。たとえば、桁部材受支筒８が編組構造である場合、ウレタンなどの耐摩耗性の高い樹脂類の被覆を有していてもよい。
編組繊維ロープ５はダメージの程度を知ることができるようにするため、基本的には被覆されないが、場合によっては、長さ調整部７を除いてウレタンなどの耐摩耗性の高い被覆を有していてもよい。
【００１５】
【実施例の作用】
実施例のものの使用法と作用を説明すると、左右で１組となった吊具２，２のそれぞれが長さ調整部７から上側が１本のロープ部分５ａに、また長さ調整部７から下側がエンドレス状部５ｂとなっているので、橋桁１を塗装したりする場合には、編組繊維ロープ上端の連結部６を橋桁１又はその付属構造物に連結し、Ｕ状をなしている中間の桁部材受支部体８に桁部材３を渡して受支させる。こうしたセットを図１の紙面に対し直角方向に所定間隔ごとに設け、各桁部材３に交差状に足場板４を渡すことで吊足場が得られる。
【００１６】
吊持状態では、編組繊維ロープ５が桁部材３と直接接触せず、桁部材受支部体８が桁部材３と接しているので、編組繊維ロープ５が擦れで損傷されず、耐久性を良好にすることができる。桁部材受支部体８緻密な組織の編組体からなる場合、編組繊維ロープ５となじみがよく、程よい摩擦抵抗でみだりに長手方向に移動せず、自転もせず、それでいて要時には筒長手方向両端から圧縮することで拡径して編組繊維ロープ５と隙間ができるので、後述する調整時に桁部材の受支位置変化に対応するように編組繊維ロープ５に沿って容易に位置をずらすことができる。
【００１７】
さらに、編組繊維ロープ５と長さ調整部７及び桁部材受支部体８が電気絶縁体であるため、近傍に高圧電線９が走っていても、誘導電流を誘発させない。また連結部６が金属製の金具であってもこれから下方には二次電流を伝達させない。したがって作業員が感電するようなことがなく、安全に作業を営むことができる。また、さびも発生しないので、後始末や保管も容易である。
【００１８】
本発明は吊条体が編組繊維ロープ５からなっているので、チェーンに比べて１／５以上軽く、また柔軟でコンパクトに折り畳めるため、小スペースで収納できるとともに、倉庫から現場基地への運搬、現場基地から吊り場所への持ち運び、吊場所でのセットが非常に容易で、労力と時間を軽減できる。
【００１９】
また、長さ調整部７が編組繊維ロープ特有の空洞構造を利用してロープ側部から空洞にロープ自由端側を挿し込み任意の空洞から取出すことで構成されているので、軸方向に引張り力を付加しない状態でロープ自由端側５１を引張るだけのきわめて簡単な操作によって、図７（ａ）（ｂ）のように、長さすなわち吊基端としての連結部６から受支部までの距離Ｌ１、Ｌ２を無段階で調整することができる。しかも、桁部材受支部体８は受支部位の変化に応じて編組繊維ロープ５に沿って位置を移動することができる。
したがって、相対する桁部材受支部分の高さレベルを現場で簡単かつ正確に設定することができ、図１のように連結部６を連結する橋桁などの対象物部位の高さレベルが左右で異なっていても、桁部材３とこの上の足場板４を水平に設置することができる。
【００２０】
こうして吊基端としての連結部６から受支部までの距離Ｌ１、Ｌ２を調整して桁部材３を支えた場合、編組繊維ロープ５が軸方向に引張られる。このため編組繊維ロープ５のストランドは空洞を喪失する様に径が縮小し、それにより長さ調整部７においては、空洞を画成している外周のストランド群が、挿入されているロープ自由端側を締め付けるので、ストランドの凹凸同士の噛み込みとあいまって強固に摩擦固定され、ずれ移動することがない。
【００２１】
編組繊維ロープ５の原料として高強度低伸度繊維を用いた場合、ワイヤロープ並の引っ張り強さを発揮し、伸びもワイヤーロープ並に小さい。しかも、編組構造であるから非自転性であり、ねじれも生じない。したがってこれらにより、桁部材３とこの上の足場板４を安定して支えることができる。
なお、編組繊維ロープ５を被覆しない場合、外観を観察することで塗料等の付着、ヤーンの切断、ヤーンの飛び出し等のダメージの程度を判別することができ、それにより適切な交換時期を決定することができ、十分な安全管理を行える。本発明の足場吊具は、必ずしも橋梁の橋桁に対する関係工事に限定されず、電路工事、建設工事、土木工事など広く利用できる。
【００２２】
【発明の効果】
以上説明した本発明の請求項１によるときには、吊り条体として編組構造の繊維ロープ５を使用し、該編組繊維ロープ５は、長手方向一端に吊持用連結部６を備える一方、中間部適所には長手方向他端側をロープそれ自体の側部から中心の空洞を通って別位置のロープ側部から導出した長さ調整部７を有しており、前記吊持用連結部６と長さ調整部７の間には、電気絶縁性の桁部材受支部体８を位置変位可能に外装しているので、次のようなすぐれた効果が得られる。
【００２３】
１）軽量かつコンパクトに折り畳めるので、運搬、持ち運び、現場での設置作業が容易である。
２）長さ調整部７から編組繊維ロープ５の他端側を引き出し、桁部材受支部体８の位置を適当にずらすだけのきわめて簡単な操作で桁部材３の受支高さ位置を現場で自在に調節でき、かつ長さ調整部７はロープの引張りによって差し込まれているロープ他端側部分をタイトに緊締するので調整位置がずれることがなく、ロープが非自転性であることとあいまって桁部材３と足場板４を適正な高さ位置で確実、安定して支持できる。
【００２４】
３）桁部材３に編組繊維ロープ５が直接接触せず、相対的に太い桁部材受支部体８が桁部材３に接触するので、擦れ等による繊維ロープ５の傷みが防止され、耐久性を上げることができる。
４）吊り条体が電気絶縁性の繊維ロープ５からなり、長さ調整部７および桁部材受支部体８もともに電気絶縁性であるから、構造物の吊持位置の近傍に高圧電線があっても誘導電流を誘発せず、吊り条体に触れてもまた足場板４からも感電などの事故が起こらず、電気的にも安全である。
【００２５】
請求項２によれば、編組繊維ロープ５が高強力低伸度繊維からなっているので、軽量でありながらチェーンに匹敵する強度と少ない伸びが得られ、調整位置で桁部材３と足場板４を確実、安定して支持できる。
請求項３によれば、桁部材受支部体８が編組繊維ロープよりも相対的に太い電気絶縁性の筒を外嵌して構成されているので、構造が簡単でまた桁部材３の受支高さ位置の変化に即応するように移動できるというすぐれた効果が得られる。
【００２６】
請求項４によれば、編組繊維ロープよりも相対的に太い電気絶縁性の筒が、編組繊維ロープ５よりも密な編組構造の太い繊維ロープを切断して構成されているので、編組繊維ロープ５となじみがよく、程よい摩擦抵抗でみだりに長手方向に移動せず、回転もせず、それでいて長手方向両端から圧縮することで拡径し編組繊維ロープ５と隙間ができるので、桁部材の受支位置変化に対応するように編組繊維ロープ５に沿って容易に位置をずらすことができるというすぐれた効果が得られる。
【００２７】
請求項５によれば、桁部材受支部体８が電気絶縁性のある平ベルトの端を留めることで構成されているので、編組繊維ロープ５の側部から簡単に装着することができ、交換も容易であるというすぐれた効果が得られる。
【図面の簡単な説明】
【図１】本発明による工事用足場吊具の使用状態を例示した説明図である。
【図２】本発明による工事用足場吊具の実施例を示す斜視図である。
【図３】長さ調整部の拡大平面図である。
【図４】（ａ）は図３のａ―ａ線に沿う断面図、（ｂ）は同じくｂ−ｂ線に沿う断面図である。
【図５】図２のｃ−ｃ線に沿う拡大断面図である。
【図６】（ａ）は本発明における桁部材受支部体の他の例を示す斜視図、（ｂ）は使用状態の断面図である。
【図７】（ａ）と（ｂ）は本発明における高さ調整状態を比較して示す模式図である。
【符号の説明】
３　桁部材
４　足場板
５　編組繊維ロープ
６　連結部
７　長さ調整部
８　桁部材受支部体
【図１】
2004124376.tif 000003
【図２】
2004124376.tif 000004
【図３】
2004124376.tif 000005
【図４】
2004124376.tif 000006
【図５】
2004124376.tif 000007
【図６】
2004124376.tif 000008
【図７】
2004124376.tif 000009